(57)【要約】【課題】  高所作業用の転落防止装置及びその施工方法において、屋根面等の高所作業面の傾斜にかかわらず、該高所作業面に簡易に転落防止具を設置し、高所作業面上での作業者の行動範囲を広くとること。【解決手段】  高所作業用の転落防止装置１００において、２本の棒材１０とロープセット２０からなる転落防止具１００Ａを有し、ロープセット２０を構成する中央ロープ部２１と両側ロープ部２２の接続部２３に、作業者の安全帯３０に連結されたランヤード３１、３２のフック３１Ｈ、３２Ｈが係脱自在に取着されるもの。【選択図】  図１
2014140556.tif 000002
【特許請求の範囲】
【請求項１】
高所作業用の転落防止装置において、
２本の棒材とロープセットからなる転落防止具を有し、
２本の棒材の各一端部が連結部で連結され、それらの棒材の各他端部に設けた各固定部が高所作業面に固定可能にされ、
ロープセットを構成する中央ロープ部の一端部が２本の棒材の連結部に連結され、ロープセットを構成する両側ロープ部の各一端部のそれぞれが一方の棒材の固定部と他方の棒材の固定部のそれぞれに連結されるとともに、中央ロープ部と両側ロープ部の各他端部とが互いに接続され、
ロープセットを構成する中央ロープ部と両側ロープ部の各他端部の接続部に、作業者の安全帯に連結されたランヤードのフックが係脱自在に取着されてなることを特徴とする高所作業用の転落防止装置。
【請求項２】
前記作業者の安全帯が第１と第２のランヤードを連結した２丁掛けとされ、両ランヤードの各フックが、ロープセットの各ロープ部の接続部と、２本の棒材の連結部のそれぞれに係脱自在にされる請求項１に記載の高所作業用の転落防止装置。
【請求項３】
前記２本の棒材の連結部がヒンジからなる請求項１又は２に記載の高所作業用の転落防止装置。
【請求項４】
前記２本の棒材の連結部と各固定部のそれぞれに、リングキャッチ掛けが設けられてなる請求項１〜３のいずれかに記載の高所作業用の転落防止装置。
【請求項５】
前記ロープセットの各ロープ部の接続部に、リングキャッチが設けられてなる請求項１〜４のいずれかに記載の高所作業用の転落防止装置。
【請求項６】
請求項１に記載の高所作業用の転落防止装置を用いた施工方法であって、
作業者が、足場から高所作業面に転落防止具を設置した後、安全帯に連結されたランヤードのフックをロープセットの各ロープ部の接続部に掛け、高所作業面に上がる施工方法。
【請求項７】
請求項２に記載の高所作業用の転落防止装置を用いた施工方法であって、
作業者が、足場から高所作業面に転落防止具を設置した後、安全帯に連結された第１ランヤードのフックをロープセットの各ロープ部の接続部に掛け、高所作業面に上がり、
更に、高所作業面上で、安全帯に連結された第２ランヤードのフックを２本の棒材の連結部に掛けた後、第１ランヤードのフックをロープセットの各ロープ部の接続部から外し、高所作業を行なう施工方法。
【請求項８】
前記高所作業面の足場から離れる方向に沿う奥行きが長いとき、
作業者が、高所作業面上の奥側位置に新たな転落防止具を設置し、安全帯に連結された第１と第２のランヤードの各フックをロープセットの各ロープ部の接続部、又は２本の棒材の連結部に掛け、高所作業を行なう請求項７に記載の施工方法。
【発明の詳細な説明】
【技術分野】
【０００１】
本発明はユニット建物の建築又は解体時の屋根上作業、建物ユニットのトラックによる輸送時の屋根上作業等に用いて好適な高所作業用の転落防止装置及びその施工方法に関する。
【背景技術】
【０００２】
従来、建物の屋根上作業のための転落防止装置として、特許文献１、２に記載のものがある。
【０００３】
特許文献１に記載の転落防止装置は、屋根面上の２ヵ所にアンカーを取付け、それらのアンカー間をつなぐように親綱を設置し、作業者の安全帯のＤ環に連結したランヤードのフックを親綱に掛けるものである。
【０００４】
特許文献２に記載の転落防止装置は、屋根面上に水の入った大きな袋体を設置し、それに安全帯のフックを掛けるものである。
【先行技術文献】
【特許文献】
【０００５】
【特許文献１】特開2004-197359
【特許文献２】特許2767015
【発明の概要】
【発明が解決しようとする課題】
【０００６】
特許文献１に記載の転落防止装置には以下の問題点がある。
(1)最初に屋根面上にアンカーを設置するとき、図１４に示す如く、屋根面の外周の足場から手の届く範囲にしかアンカーを設置できない。足場が屋根面の外周の一辺に沿ってしか配置できない場合は、親綱を足場面に沿ってしか張れず、安全帯のＤ環に連結したランヤードを親綱に掛けた作業者の行動範囲（立位での安全帯Ｄ環可動範囲）が図１４に示す如く、足場面の近傍の限定されてしまう。
【０００７】
(2)親綱を緩みなく張ってしまうと、図１５に示す如く、作業者の転落荷重よりも遥かに大きな張力が親綱及びアンカーにかかる。逆に、親綱を大きく緩ませて張ってしまうと、作業者の落下高さが増えて、転落荷重自体が大きくなってしまう。従って、親綱の緊張程度を管理して張る必要がある。
【０００８】
特許文献２に記載の転落防止装置は、屋根面の傾斜が平らか又は非常に緩やかな場合にしか使えず、傾斜の急な屋根面には適用できない。
【０００９】
本発明の課題は、高所作業用の転落防止装置及びその施工方法において、屋根面等の高所作業面の傾斜にかかわらず、該高所作業面に簡易に転落防止具を設置し、高所作業面上での作業者の行動範囲を広くとることにある。
【課題を解決するための手段】
【００１０】
請求項１に係る発明は、高所作業用の転落防止装置において、２本の棒材とロープセットからなる転落防止具を有し、２本の棒材の各一端部が連結部で連結され、それらの棒材の各他端部に設けた各固定部が高所作業面に固定可能にされ、ロープセットを構成する中央ロープ部の一端部が２本の棒材の連結部に連結され、ロープセットを構成する両側ロープ部の各一端部のそれぞれが一方の棒材の固定部と他方の棒材の固定部のそれぞれに連結されるとともに、中央ロープ部と両側ロープ部の各他端部とが互いに接続され、ロープセットを構成する中央ロープ部と両側ロープ部の各他端部の接続部に、作業者の安全帯に連結されたランヤードのフックが係脱自在に取着されてなるようにしたものである。
【００１１】
請求項２に係る発明は、請求項１に係る発明において更に、前記作業者の安全帯が第１と第２のランヤードを連結した２丁掛けとされ、両ランヤードの各フックが、ロープセットの各ロープ部の接続部と、２本の棒材の連結部のそれぞれに係脱自在にされるようにしたものである。
【００１２】
請求項３に係る発明は、請求項１又は２に係る発明において更に、前記２本の棒材の連結部がヒンジからなるようにしたものである。
【００１３】
請求項４に係る発明は、請求項１〜３のいずれかに係る発明において更に、前記２本の棒材の連結部と各固定部のそれぞれに、リングキャッチ掛けが設けられてなるようにしたものである。
【００１４】
請求項５に係る発明は、請求項１〜４のいずれかに係る発明において更に、前記ロープセットの各ロープ部の接続部に、リングキャッチが設けられてなるようにしたものである。
【００１５】
請求項６に係る発明は、請求項１に記載の高所作業用の転落防止装置を用いた施工方法であって、作業者が、足場から高所作業面に転落防止具を設置した後、安全帯に連結されたランヤードのフックをロープセットの各ロープ部の接続部に掛け、高所作業面に上がる施工方法である。
【００１６】
請求項７に係る発明は、請求項２に記載の高所作業用の転落防止装置を用いた施工方法であって、作業者が、足場から高所作業面に転落防止具を設置した後、安全帯に連結された第１ランヤードのフックをロープセットの各ロープ部の接続部に掛け、高所作業面に上がり、更に、高所作業面上で、安全帯に連結された第２ランヤードのフックを２本の棒材の連結部に掛けた後、第１ランヤードのフックをロープセットの各ロープ部の接続部から外し、高所作業を行なう施工方法である。
【００１７】
請求項８に係る発明は、請求項７に係る発明において更に、前記高所作業面の足場から離れる方向に沿う奥行きが長いとき、作業者が、高所作業面上の奥側位置に新たな転落防止具を設置し、安全帯に連結された第１と第２のランヤードの各フックをロープセットの各ロープ部の接続部、又は２本の棒材の連結部に掛け、高所作業を行なうようにしたものである。
【発明の効果】
【００１８】
（請求項１）
(a)２本の棒材の各固定部を高所作業面に固定することで、該高所作業面の傾斜にかかわらず、それらの２本の棒材とロープセットからなる転落防止具を該高所作業面に簡易に設置できる。
【００１９】
(b)転落防止具を高所作業面に固定するとき、２本の棒材の固定部は足場から手の届く位置で確実に固定し、２本の棒材の連結部、及び該連結部に連結されたロープセットは足場から手の届かない位置にまで延在するように設置できる。足場が高所作業面の外周の一辺に沿ってしか配置できない場合であっても、高所作業面の足場から手が届かない深い位置にまで転落防止具を設置でき、高所作業面上での作業者の転落防止を図りながらの行動範囲が足場面近傍に限定されず、広くとることができる。
【００２０】
(c)ロープセットにおける中央ロープ部と両側ロープ部の各１本との交差角度を鋭角に設定することにより、作業者の転落時の落下荷重が各ロープ部に及ぼす張力を小さくし、ひいては各ロープ部の断面を小さくする等によって軽量化を図ることができる。
【００２１】
(d)上述(c)により、ロープセットの各ロープ部から２本の棒材の連結部や固定部に作用する力を小さくできる。従って、２本の棒材の断面を小さくしてその軽量化を図り、或いは２本の棒材の連結部（ヒンジ）や固定部の軽量化を図ることができる。
【００２２】
（請求項２）
(e)作業者の安全帯が第１と第２のランヤードを連結した２丁掛けとされ、両ランヤードの各フックが、ロープセットの各ロープ部の接続部と、２本の棒材の連結部のそれぞれに係脱自在にされる。作業者は、高所作業面上で、第１と第２のランヤードのいずれか一方のフックが、２本の棒材の連結部とロープセットの各ロープ部の接続部の一方に既に掛けられている状態で、第１と第２のランヤードの他方のフックを、２本の棒材の連結部とロープセットの各ロープ部の接続部の他方に新たに掛け、その後、既に掛けられていた一方のフックを２本の棒材の連結部とロープセットの各ロープ部の接続部の一方から外す。これにより、作業者はそれらの第１と第２のランヤードのいずれかが必ず、２本の棒材の連結部とロープセットの各ロープ部の接続部のいずれかに掛けられた状態を保って高所作業できるものになり、転落防止の確実を図ることができる。
【００２３】
（請求項３）
(f)２本の棒材の連結部がヒンジからなる。棒材をヒンジでつないでトラス構造とすることで、棒材には軸力のみが働き、曲げモーメントが作用しなくなる。これにより、棒材の断面が曲げ強さを必要としなくなり、例えばアルミのパイプを採用する等によって軽量化できる。
【００２４】
(g)棒材をヒンジでつないでトラス構造とすることで、棒材のヒンジとは反対側の固定部の位置を自由に変位でき、当該固定部を高所作業面の任意の位置に固定できる。
【００２５】
（請求項４）
(h)２本の棒材の連結部と各固定部のそれぞれに、リングキャッチ掛けが設けられる。ロープセットの各ロープ部をそれらのリングキャッチ掛けに簡易に連結できる。また、安全帯に連結したランヤードのフックを、２本の棒材の連結部に設けたリングキャッチ掛けに簡易に係脱できる。
【００２６】
（請求項５）
(i)ロープセットの各ロープ部の接続部に、リングキャッチが設けられる。安全帯に連結したランヤードのフックを、ロープセットの各ロープ部の接続部に設けたリングキャッチに簡易に係脱できる。
【００２７】
（請求項６）
(j)作業者が、足場から高所作業面に転落防止具を設置した後、安全帯に連結されたランヤードのフックをロープセットの各ロープ部の接続部に掛け、高所作業面に上がる。作業者は、転落防止を図られながら、高所作業面に上がることができる。
【００２８】
（請求項７）
(k)作業者が、足場から高所作業面に転落防止具を設置した後、安全帯に連結された第１ランヤードのフックをロープセットの各ロープ部の接続部に掛け、高所作業面に上がり、更に、高所作業面上で、安全帯に連結された第２ランヤードのフックを２本の棒材の連結部に掛けた後、第１ランヤードのフックをロープセットの各ロープ部の接続部から外し、高所作業を行なう。作業者は、転落防止を図られながら、高所作業を行なうことができる。
【００２９】
（請求項８）
(l)前記高所作業面の足場から離れる方向に沿う奥行きが長いとき、作業者が、高所作業面上の奥側位置に新たな転落防止具を設置し、安全帯に連結された第１と第２のランヤードの各フックをロープセットの各ロープ部の接続部、又は２本の棒材の連結部に掛け、高所作業を行なう。作業者は、高所作業面の奥行きの深い位置でも、転落防止を図られながら、高所作業を行なうことができる。
【図面の簡単な説明】
【００３０】
【図１】図１はロープセットに連結された作業者の屋根面上行動範囲を示す模式平面図である。
【図２】図２は安全帯の第１ランヤードの長さと落下高さとの関係を示す模式側面図である。
【図３】図３は２本の棒材の連結部に連結された作業者の屋根面上行動範囲を示す模式平面図である。
【図４】図４は安全帯の第２ランヤードの長さと落下高さとの関係を示す模式側面図である。
【図５】図５は転落防止具を示す平面図である。
【図６】図６は連結部を示し、（Ａ）は平面図、（Ｂ）は側面図である。
【図７】図７は固定部を示し、（Ａ）は平面図、（Ｂ）は側面図、（Ｃ）は正面図である。
【図８】図８はロープセットを示す平面図である。
【図９】図９は施工手順を示す模式図である。
【図１０】図１０は施工手順を示す模式図である。
【図１１】図１１は施工手順を示す模式図である。
【図１２】図１２は施工手順を示す模式図である。
【図１３】図１３は施工手順を示す模式図である。
【図１４】図１４は従来方法を示す模式図である。
【図１５】図１５は従来方法を示す模式図である。
【発明を実施するための形態】
【００３１】
図１〜図４に示した高所作業用の転落防止装置１００は、２本の棒材１０、１０とロープセット２０からなる図５に示す如くの転落防止具１００Ａを有する。尚、図１はロープセット２０の各ロープ部２１、２２を高所作業面としての屋根面１に接するように置いた状態を示している。
【００３２】
２本の棒材１０、１０は、図５に示す如く、それらの一端部が連結部１１で連結され、それらの各他端部に設けた各固定部１２、１２が屋根面１に固定可能にされる。
【００３３】
２本の棒材１０、１０の連結部１１は、図６に示す如く、各棒材１０の一端部にボルト結合された連結ブラケット１１Ａ、１１Ａをボルト１１Ｂによりピン結合したヒンジ１１Ｃからなる。そして、連結部１１は、一方の連結ブラケット１１Ａに設けたリングキャッチ掛け１１Ｒを備える。連結部１１のリングキャッチ掛け１１Ｒには、ロープセット２０の後述する中央ロープ部２１の一端部のリングキャッチ２１Ｒが係脱自在にされるとともに、作業者の安全帯３０に後述する如くに連結された第１と第２のランヤード３１、３２の各フック３１Ｈ、３２Ｈが選択的に係脱自在にされる。
【００３４】
２本の棒材１０、１０の各固定部１２は、図７に示す如く、各棒材１０の他端部にボルト結合された固定ブラケット１２Ａからなり、該固定ブラケット１２Ａが屋根面１の所望の位置にボルト締結（ピン接合）されて固定される。そして、各固定部１２は、固定ブラケット１２Ａに設けたリングキャッチ掛け１２Ｒを備える。固定部１２のリングキャッチ掛け１２Ｒには、ロープセット２０の後述する両側ロープ部２２、２２の各一端部のリングキャッチ２２Ｒ、２２Ｒが係脱自在にされる。
【００３５】
ロープセット２０は、図８に示す如く、中央ロープ部２１と両側ロープ部２２、２２とからなる。中央ロープ部２１の一端部に設けたリングキャッチ２１Ｒが２本の棒材１０、１０の連結部１１に設けたリングキャッチ掛け１１Ｒに連結される。また、両側ロープ部２２、２２の各一端部に設けたリングキャッチ２２Ｒ、２２Ｒのそれぞれが一方の棒材１０の固定部１２に設けたリングキャッチ掛け１２Ｒと他方の棒材１０の固定部１２に設けたリングキャッチ掛け１２Ｒのそれぞれに連結される。更に、中央ロープ部２１と両側ロープ部２２、２２の各他端部とが互いに接続され、その接続部２３にリングキャッチ２３Ｒが横移動することのないように固く結ばれて設けられる。ロープセット２０のリングキャッチ２３Ｒには、作業者の安全帯３０に連結された第１と第２のランヤード３１、３２の各フック３１Ｈ、３２Ｈが選択的に係脱自在にされる。
【００３６】
作業者の安全帯３０は、図２、図４に示す如く、Ｄ環３１Ａ、３２Ａを介して第１と第２のランヤード３１、３２を連結した２丁掛けとされる。両ランヤード３１、３２の各フック３１Ｈ、３２Ｈが、ロープセット２０の各ロープ部２１、２２の接続部２３に設けたリングキャッチ２３Ｒと、２本の棒材１０、１０の連結部１１に設けたリングキャッチ掛け１１Ｒのそれぞれに選択的に係脱自在に取着される。第２ランヤード３２は伸縮調節器を備える。
【００３７】
尚、転落防止装置１００において、図１のＲ1は、立位の作業者に装備した安全帯３０に連結した第１ランヤード３１のＤ環３１Ａの屋根面１上における可動範囲である。図３のＲ2は、立位の作業者に装備した安全帯３０に連結した第２ランヤード３２のＤ環３２Ａの屋根面１上における可動範囲である。
【００３８】
しかるに、転落防止装置１００を用いた施工方法にあっては、図９、図１０に示す如く、作業者が、足場Ａから屋根面１に転落防止具１００Ａを設置した後、安全帯３０に連結された第１ランヤード３１のフック３１Ｈをロープセット２０の各ロープ部２１、２２の接続部２３に掛けて屋根面１に上がる。更に、屋根面１上で、安全帯３０に連結された第２ランヤード３２のフック３２Ｈを２本の棒材１０、１０の連結部１１に掛けた後、第１ランヤード３１のフック３１Ｈをロープセット２０の各ロープ部２１、２２の接続部２３から外し、高所作業を行なう。即ち、下記(1)〜(4)の如くである。
【００３９】
(1)作業者は、屋根面１における足場Ａに沿う一辺の両端部に設置済の２個のねじ止め穴２に、転落防止具１００Ａの２本の棒材１０、１０の各固定部１２の固定ブラケット１２Ａをボルト締結（ピン接合）する（図９（Ａ）、（Ｂ））。
【００４０】
(2)作業者は、安全帯３０に連結された第１ランヤード３１のフック３１Ｈを、ロープセット２０の各ロープ部２１、２２の接続部２３のリングキャッチ２３Ｒに掛ける。作業者は第１ランヤード３１で転落防止を図りながら、屋根面１に上がる（図９（Ｃ））。
【００４１】
(3)作業者は、屋根面１上で、安全帯３０に連結された第２ランヤード３２のフック３２Ｈを、２本の棒材１０、１０の連結部１１のリングキャッチ掛け１１Ｒに掛ける（図１０（Ａ））。
【００４２】
(4)作業者は、第１ランヤード３１のフック３１Ｈをロープセット２０の各ロープ部２１、２２の接続部２３のリングキャッチ２３Ｒから外し、第２ランヤード３２にて転落防止を図りながら、屋根面１上で高所作業する（図１０（Ｂ））。作業者が屋根面１から降りるときには、上記(1)〜(4)の逆手順で転落防止を図りながら、屋根面１から降りる。
【００４３】
屋根面１の足場Ａから離れる方向に沿う奥行きが長いときには、図１１〜図１３に示す如く、作業者が、屋根面１上の奥側位置に新たな転落防止具１００Ａを増設するように設置し、安全帯３０に連結された第１と第２のランヤード３１、３２の各フック３１Ｈ、３２Ｈを、ロープセット２０の各ロープ部２１、２２の接続部２３、又は２本の棒材１０、１０の連結部１１に掛け、高所作業を行なう。即ち、上記(1)〜(4)に続く、下記(1)〜(11)の如くである。
【００４４】
(5)作業者は、屋根面１において上記(1)で既設のねじ止め穴２よりも奥側に、新たな転落防止具１００Ａのための２個のねじ止め穴２を新設する（図１１（Ａ））。この２個のねじ止め穴２は、上記(1)で設置済の転落防止具１００Ａのための既設の２個のねじ止め穴２に対し、該設置済の転落防止具１００Ａにおける２本の棒材１０、１０のヒンジ１１Ｃを中心とする点対称位置に設定される。
【００４５】
(6)作業者は、新たな転落防止具１００Ａを屋根面１の上に持ち込み、該新たな転落防止具１００Ａにおける２本の棒材１０、１０の各固定部１２の固定ブラケット１２Ａを上記(5)で新設した２個のねじ止め穴２にボルト締結する（図１１（Ｂ））。
【００４６】
(7)作業者は、新たなロープセット２０をもう１つ用意する。この新たなロープセット２０の中央ロープ部２１に設けたリングキャッチ２１Ｒを上記(1)で既設の２本の棒材１０、１０の連結部１１に設けたリングキャッチ掛け１１Ｒに連結する。更に、この新たなロープセット２０の両側ロープ部２２、２２に設けたリングキャッチ２２Ｒ、２２Ｒを、上記(1)で既設の２本の棒材１０、１０の各固定部１２、１２に設けたリングキャッチ掛け１２Ｒに掛ける（図１１（Ｃ））。
【００４７】
(8)作業者は、安全帯３０の連結された第２ランヤード３２の長さを、伸縮調節器にて、第１ランヤード３１と同じ長さに縮める。そして、第１ランヤード３１のフック３１Ｈを新たなロープセット２０の接続部２３に設けたリングキャッチ２３Ｒに掛ける（図２（Ａ））。
【００４８】
(9)作業者は、安全帯３０に連結された第２ランヤード３２のフック３２Ｈを上記(1)で設置済みの転落防止具１００Ａにおける２本の棒材１０、１０の連結部１１のリングキャッチ掛け１１Ｒから外す。そして、この第２ランヤード３２のフック３２Ｈを新たな転落防止具１００Ａにおけるロープセット２０の接続部２３に設けたリングキャッチ２３Ｒに掛ける（図１２（Ｂ））。
【００４９】
(10)作業者は、安全帯３０に連結された第１ランヤード３１のフック３１Ｈを新たなロープセット２０の接続部２３に設けたリングキャッチ２３Ｒから外す。そして、この第１ランヤード３１のフック３１Ｈを新たな転落防止具１００Ａにおける２本の棒材１０、１０の連結部１１のリングキャッチ掛け１１Ｒに掛ける（図１２（Ｃ））。
【００５０】
(11)作業者は、安全帯３０に連結された第２ランヤード３２のフック３２Ｈを新たな転落防止具１００Ａにおけるロープセット２０の接続部２３に設けたリングキャッチ２３Ｒから外し、この第２ランヤード３２のフック３２Ｈを該新たな転落防止具１００Ａにおける２本の棒材１０、１０の連結部１１のリングキャッチ掛け１１Ｒに掛ける。そして、この第２ランヤード３２の長さを、伸縮調節器にて、元の長さに戻す。更に、第１ランヤード３１のフック３１Ｈを新たな転落防止具１００Ａにおける２本の棒材１０、１０の連結部１１のリングキャッチ掛け１１Ｒから外し、第２ランヤード３２にて転落防止を図りながら、屋根面１上で高所作業する（図１３）。更に、上記(5)〜(11)を繰り返すことにより、奥行きがどんなに長い屋根面１であっても、その全面に転落防止装置１００を設置できる。
【００５１】
作業終了後には、作業者は上記(1)〜(11)の逆手順で転落防止を図りながら、屋根面１から降りる。
【００５２】
以下、転落防止具１００Ａを構成する２本の棒材１０、１０の長さ、ロープセット２０の各ロープ部２１、２２の長さ、及び安全帯３０のランヤード３１、３２の長さの関係について説明する。
【００５３】
(A)安全帯３０の第１ランヤード３１のフック３１Ｈをロープセット２０の接続部２３に設けたリングキャッチ２３Ｒに掛けた状態で、手を伸ばして第２ランヤード３２のフック３２Ｈを２本の棒材１０、１０の連結部１１のリングキャッチ掛け１１Ｒに掛けられるように、２本の棒材１０、１０の長さ、ロープセット２０の各ロープ部２１、２２の長さ、及び安全帯３０のランヤード３１、３２の長さの関係が設定される。
【００５４】
(B)ランヤード３１、３２の長さは、以下の条件を満たすように設定される。ここで、ランヤード３１、３２の長さをＬ1、Ｌ2、作業者の立位におけるＤ環３１Ａ、３２Ａの高さをＫ、ロープセット２０の接続部２３のリングキャッチ２３Ｒから屋根面１の端部までの距離をＥ1、Ｅ2（Ｅ2は昇降時における足場Ａからの距離）、２本の棒材１０、１０の連結部１１のリングキャッチ掛け１１Ｒから屋根面１の端部までの距離をＰとする。
【００５５】
但し、85kg砂袋の落下高さ1700mmの衝撃荷重が8.0kN以下であることから、作業者の許容落下高さJを1700mm以下とする。
【００５６】
(B-1)第１ランヤード３１の長さ（図１、図２）
i)Ｊ＝Ｋ＋（Ｌ1−Ｅ1）≦1700mm
ii)Ｅ2≦900mm程度（足場Ａ上から片手を伸ばしてＤ環３１Ｈをロープセット２０の接続部２３のリングキャッチ２３Ｒに掛けられる距離）
iii)Ｅ2≦Ｌ1
【００５７】
(B-2)第２ランヤード３２の長さ（図３、図４）
i)Ｊ＝Ｋ＋（Ｌ2−Ｐ）≦1700mm
【００５８】
転落防止具１００Ａを上記(A)、(B)の如くに設定するとき、足場Ａの上から安全帯３０の第１と第２のランヤード３１、３２のフック３１Ｈ、３２Ｈをロープセット２０の接続部２３に設けたリングキャッチ２３Ｒに掛けることができ、足場Ａ〜屋根面１の間を安全に移動できる。また、作業者の落下衝撃荷重を一定値以下に制限できる。
【００５９】
本実施例によれば以下の作用効果を奏する。
(a)２本の棒材１０、１０の各固定部１２を屋根面１に固定することで、該屋根面１の傾斜にかかわらず、それらの２本の棒材１０、１０とロープセット２０からなる転落防止具１００Ａを該屋根面１に簡易に設置できる。
【００６０】
(b)転落防止具１００Ａを屋根面１に固定するとき、２本の棒材１０、１０の固定部１２は足場Ａから手の届く位置で確実に固定し、２本の棒材１０、１０の連結部１１、及び該連結部１１に連結されたロープセット２０は足場Ａから手の届かない位置にまで延在するように設置できる。足場Ａが屋根面１の外周の一辺に沿ってしか配置できない場合であっても、屋根面１の足場Ａから手が届かない深い位置にまで転落防止具１００Ａを設置でき、屋根面１上での作業者の転落防止を図りながらの行動範囲が足場面近傍に限定されず、広くとることができる。
【００６１】
(c)ロープセット２０における中央ロープ部２１と両側ロープ部２２の各１本との交差角度を鋭角に設定することにより、作業者の転落時の落下荷重が各ロープ部２１、２２に及ぼす張力を小さくし、ひいては各ロープ部２１、２２の断面を小さくする等によって軽量化を図ることができる。
【００６２】
(d)上述(c)により、ロープセット２０の各ロープ部２１、２２から２本の棒材１０、１０の連結部１１や固定部１２に作用する力を小さくできる。従って、２本の棒材１０、１０の断面を小さくしてその軽量化を図り、或いは２本の棒材１０、１０の連結部１１（ヒンジ１１Ｃ）や固定部１２の軽量化を図ることができる。
【００６３】
(e)作業者の安全帯３０が第１と第２のランヤード３１、３２を連結した２丁掛けとされ、両ランヤード３１、３２の各フック３１Ｈ、３２Ｈが、ロープセット２０の各ロープ部２１、２２の接続部２３と、２本の棒材１０、１０の連結部１１のそれぞれに係脱自在にされる。作業者は、屋根面１上で、第１と第２のランヤード３１、３２のいずれか一方のフック３１Ｈ、３２Ｈが、２本の棒材１０、１０の連結部１１とロープセット２０の各ロープ部２１、２２の接続部２３の一方に既に掛けられている状態で、第１と第２のランヤード３１、３２の他方のフック３１Ｈ、３２Ｈを、２本の棒材１０、１０の連結部１１とロープセット２０の各ロープ部２１、２２の接続部２３の他方に新たに掛け、その後、既に掛けられていた一方のフック３１Ｈ、３２Ｈを２本の棒材１０、１０の連結部１１とロープセット２０の各ロープ部２１、２２の接続部２３の一方から外す。これにより、作業者はそれらの第１と第２のランヤード３１、３２のいずれかが必ず、２本の棒材１０、１０の連結部１１とロープセット２０の各ロープ部２１、２２の接続部２３のいずれかに掛けられた状態を保って高所作業できるものになり、転落防止の確実を図ることができる。
【００６４】
(f)２本の棒材１０、１０の連結部１１がヒンジ１１Ｃからなる。棒材１０、１０をヒンジ１１Ｃでつないでトラス構造とすることで、棒材１０、１０には軸力のみが働き、曲げモーメントが作用しなくなる。これにより、棒材１０、１０の断面が曲げ強さを必要としなくなり、例えばアルミのパイプを採用する等によって軽量化できる。
【００６５】
(g)棒材１０、１０をヒンジ１１Ｃでつないでトラス構造とすることで、棒材１０、１０のヒンジ１１Ｃとは反対側の固定部１２の位置を自由に変位でき、当該固定部１２を屋根面１の任意の位置に固定できる。
【００６６】
(h)２本の棒材１０、１０の連結部１１と各固定部１２のそれぞれに、リングキャッチ掛け１１Ｒ、１２Ｒが設けられる。ロープセット２０の各ロープ部２１、２２をそれらのリングキャッチ掛け１１Ｒ、１２Ｒに簡易に連結できる。また、安全帯３０に連結したランヤード３１、３２のフック３１Ｈ、３２Ｈを、２本の棒材１０、１０の連結部１１に設けたリングキャッチ掛け１１Ｒに簡易に係脱できる。
【００６７】
(i)ロープセット２０の各ロープ部２１、２２の接続部２３に、リングキャッチ２３Ｒが設けられる。安全帯３０に連結したランヤード３１、３２のフック３１Ｈ、３２Ｈを、ロープセット２０の各ロープ部２１、２２の接続部２３に設けたリングキャッチ２３Ｒに簡易に係脱できる。
【００６８】
(j)作業者が、足場Ａから屋根面１に転落防止具１００Ａを設置した後、安全帯３０に連結されたランヤード３１、３２のフック３１Ｈ、３２Ｈをロープセット２０の各ロープ部２１、２２の接続部２３に掛け、屋根面１に上がる。作業者は、転落防止を図られながら、屋根面１に上がることができる。
【００６９】
(k)作業者が、足場Ａから屋根面１に転落防止具１００Ａを設置した後、安全帯３０に連結された第１ランヤード３１のフック３１Ｈをロープセット２０の各ロープ部２１、２２の接続部２３に掛け、屋根面１に上がり、更に、屋根面１上で、安全帯３０に連結された第２ランヤード３２のフック３２Ｈを２本の棒材１０、１０の連結部１１に掛けた後、第１ランヤード３１のフック３１Ｈをロープセット２０の各ロープ部２１、２２の接続部２３から外し、高所作業を行なう。作業者は、転落防止を図られながら、高所作業を行なうことができる。
【００７０】
(l)前記屋根面１の足場Ａから離れる方向に沿う奥行きが長いとき、作業者が、屋根面１上の奥側位置に新たな転落防止具１００Ａを設置し、安全帯３０に連結された第１と第２のランヤード３１、３２の各フック３１Ｈ、３２Ｈをロープセット２０の各ロープ部２１、２２の接続部２３、又は２本の棒材１０、１０の連結部１１に掛け、高所作業を行なう。作業者は、屋根面１の奥行きの深い位置でも、転落防止を図られながら、高所作業を行なうことができる。
【００７１】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明の実施において、作業者の安全帯は１つのランヤードのみを連結されて備えるものでも良い。
【産業上の利用可能性】
【００７２】
本発明は、高所作業用の転落防止装置において、２本の棒材とロープセットからなる転落防止具を有し、２本の棒材の各一端部が連結部で連結され、それらの棒材の各他端部に設けた各固定部が高所作業面に固定可能にされ、ロープセットを構成する中央ロープ部の一端部が２本の棒材の連結部に連結され、ロープセットを構成する両側ロープ部の各一端部のそれぞれが一方の棒材の固定部と他方の棒材の固定部のそれぞれに連結されるとともに、中央ロープ部と両側ロープ部の各他端部とが互いに接続され、ロープセットを構成する中央ロープ部と、両側ロープ部の各他端部の接続部に、作業者の安全帯に連結されたランヤードのフックが係脱自在に取着される。これにより、高所作業用の転落防止装置及びその施工方法において、屋根面等の高所作業面の傾斜にかかわらず、該高所作業面に簡易に転落防止具を設置し、高所作業面上での作業者の行動範囲を広くとることができる。
【符号の説明】
【００７３】
１  屋根面（高所作業面）
１０  棒材
１１  連結部
１１Ｃ  ヒンジ
１１Ｒ  リングキャッチ掛け
１２  固定部
１２Ｒ  リングキャッチ掛け
２０  ロープセット
２１  中央ロープ部
２１Ｒ  リングキャッチ
２２  両側ロープ部
２２Ｒ  リングキャッチ
２３  接続部
２３Ｒ  リングキャッチ
３０  安全帯
３１  第１ランヤード
３１Ｈ  フック
３２  第２ランヤード
３２Ｈ  フック
１００  転落防止装置
１００Ａ  転落防止具
Ａ  足場
【図１】
2014140556.tif 000003
【図２】
2014140556.tif 000004
【図３】
2014140556.tif 000005
【図４】
2014140556.tif 000006
【図５】
2014140556.tif 000007
【図６】
2014140556.tif 000008
【図７】
2014140556.tif 000009
【図８】
2014140556.tif 000010
【図９】
2014140556.tif 000011
【図１０】
2014140556.tif 000012
【図１１】
2014140556.tif 000013
【図１２】
2014140556.tif 000014
【図１３】
2014140556.tif 000015
【図１４】
2014140556.tif 000016
【図１５】
2014140556.tif 000017